(57)【特許請求の範囲】
【請求項１】
三相交流誘導モーター駆動器の制御システムであって、
駆動器制御モジュールと、弱磁制御モジュールと、交流電源と、電力回路モジュールと、電流感知モジュールと、交流モーターモジュールと、を含み、
前記駆動器制御モジュールは、弱磁制御モジュールと、電力回路モジュールと、電流感知モジュール及び交流モーターモジュールとインターフェースし、前記駆動器制御モジュールは、交流モーターモジュールのコーダーによって交流モーターの位置関連情報を取得し、
前記弱磁制御モジュールは、駆動器制御モジュールとインターフェースし、そして前記弱磁制御モジュールは、制限器と、弱磁電流制御器と、減法器と、ローパスフィルターと、加法器及び最大ｑ−軸電流命令計算器を含み、
前記交流電源は、電力回路モジュールとインターフェースされた入力電源であり、
前記電力回路モジュールは、交流電源と、電流感知モジュール及び交流モーターモジュールとインターフェースされ、
前記電流感知モジュールは、三つの電流感知器を含み、且つ前記電流感知モジュールは、駆動器制御モジュール及び交流モーターモジュールとインターフェースし、主としてモーターの三相電流をフィードバックし、
前記交流モーターモジュールは、駆動器制御モジュールと、電力回路モジュールと、電流感知モジュールとインターフェースし、且つ前記交流モーターモジュールは三相交流誘導モーター及びコーダーを含み、
交流モーターの交流モーター周波数変換器のパルスワイズ・モデュレーション制御の切り替え周期及びその周波数変調器の制御によって、有効切り替え時間の和を分析して取得し、且つ弱磁制御モジュールを経由して、リアルタイムに調整適化された磁化電流命令を産生することによって、直流リンク電圧の利用率を最大化し、交流モーターモジュールが定格回転スピードを超過した場合、異なる弱磁区間の異なる回転スピード運転状況下で、最大の出力/トルク能力を有し、
前記弱磁制御モジュールのローパスフィルターは、加法器及び減法器とインターフェースし、
前記ローパスフィルターは、有効切り替え時間の和の高周波数信号をカットし、
前記有効切り替え時間の和は、加法器によって空間ベクトル変調法則中の各有効電圧ベクトルの有効切り替え時間ＴA、ＴBを加算して取得され、
前記減法器は、弱磁電流制御器によって制限器と連結し、且つ前記減法器は、パルスワイズ・モデュレ−ションによって制御された切り替え周期ＴZからウェーブフィルターろ過後の有効切り替え時間の和（ＴA＋ＴB）を差し引き、
前記弱磁電流制御器は、マグネチック・フラックス電流命令の修正値を産生し、
前記制限器は、マグネチック・フラックス電流命令の修正値がマイナス値区間に落ちることを制限し、且つ三相誘導モーターのｄ−軸回転子のマグネチック・フラックスの量或いはｄ−軸電流がゼロより小さいか或いはゼロに近い値になることを制限することを特徴とする三相交流誘導モーター駆動器の制御システム。
【請求項２】
前記最大ｑ−軸電流命令計算器は最大ｑ−軸電流命令値を分析計算することを特徴とする請求項１に記載の三相交流誘導モーター駆動器の制御システム。
【請求項３】
前記駆動器制御モジュールは、加法器と、減法器と、ｄ−軸電流制御器と、回転スピード制御器と、ｑ−軸電流制御器と、制限器と、電圧分離補償器と、座標転換器と、空間ベクトル変調器と、回転子スピード推定器と、計数器と、スリップスピード推定器及び積分器と、を含むことを特徴とする請求項１に記載の三相交流誘導モーター駆動器の制御システム。
【請求項４】
前記計数器は、コーダー及び回転子スピード推定器とインターフェースされ、且つ前記計数器はコーダーのパルス情報を交流モーターの回転角度に転換し、前記回転角度はスリップスピード推定器によってモーターのスピードを獲得し、モーターの回転スピードは又回転スピード制御器から情報をフィードバックされることを特徴とする請求項３に記載の三相交流誘導モーター駆動器の制御システム。
【請求項５】
前記座標転換器は、電流感知器とインターフェースされ、且つ前記電流感知器はモーターの三相電流をフィードバックし、且つ座標転換器によって三相静止座標の変数を二相同期回転座標の変数へ転換することを特徴とする請求項３に記載の三相交流誘導モーター駆動器の制御システム。
【請求項６】
前記ｄ−軸電流制御器及びｑ−軸電流制御器の出力に電力分離補償値を加え、更に座標転換器によって二相同期回転座標の変数を二相静止座標の変数へ転換することによって、空間ベクトル変調器の電圧空間ベクトル命令を獲得することを特徴とする請求項３に記載の三相交流誘導モーター駆動器の制御システム。
【請求項７】
前記回転スピード制御器は、制限器及び減法器とインターフェースされ、ｑ−軸電流命令及び出力/トルクを制限することができ、一方前記回転スピード制御器は三相交流誘導モーターの回転スピード
0005314643.tif 000028
及び回転スピード命令
0005314643.tif 000029
を調整することが出来ることを特徴とする請求項３に記載の三相交流誘導モーター駆動器の制御システム。
【請求項８】
前記電力回路モジュールは、整流モジュールと、直流リンク電圧キャパシティ及びフリケンシー変調モジュールと、を含み、市販電力のエネルギーが交流電源から入力を開始すると、整流モジュールによって交流電気を漣波を有する直流電気へ整流し、更に直流リンク電圧キャパシティによってウェーブフィルターろ過を行い、且つ空間ベクトル変調器を利用して制御信号をフリケンシー変調モジュール中の駆動スイッチエレメントへ出力し、直流電気エネルギーの転換を行うことを特徴とする請求項１に記載の三相交流誘導モーター駆動器の制御システム。
【請求項９】
前記コーダーは、増量型コーダーであってよく、駆動器はコーダーのフィ−ドバックした回転子の位置及び/或いはスピードに基づいて、駆動器制御モジュールを経由してｑ−軸座標の上に位置する固定子電流を産生し、その打ち立てられたマグネチック・フラックスとｄ−軸座標上の三相交流誘導モーター回転子のマグネチック・フラックスとが交互作用することによって、三相交流誘導モーターのベクトル制御を達成することを特徴とする請求項１に記載の三相交流誘導モーター駆動器の制御システム。
【発明の詳細な説明】
【技術分野】
【０００１】
本発明は、三相交流誘導モーター駆動器の制御システム、特に、定格回転スピード以上において弱磁制御を有する三相交流誘導モーター駆動器に関するものである。
【背景技術】
【０００２】
従来の三相交流誘導モーター駆動装置は、主としてq-軸座標の上に生じる固定子電流によって、並びにそこで生じたマグネチック・フラックス及びd-軸座標上の三相交流誘導モーター回転子のマグネチック・フラックスとの交互作用により、三相交流誘導モーターのベクトル制御を達成するものである。そして、三相交流誘導モーターにおいて生じる反起電力と回転スピードは正比例する、回転スピードが上昇して直流リンク電圧のキャパシティが三相交流誘導モーターに生じた反起電力を制するに足りない場合、三相交流誘導モーターの高速運転の範囲を制限することになる、従って、三相交流誘導モーターを一層早いスピードで操作するためには、一般的に、駆動器がd-軸電流を調整して回転子のマグネチック・フラックスを下げることによって、高速下で生じる反起電力を制すると共に、スピード操作の範囲を向上させることができる、この方法は、又一般に言われる弱磁制御でもある。
しかしながら、従来の弱磁制御法則（ベクトル制御による周波数変換器の制御器パラメータ自動調整法、中華民国特許第84113378号）は、回転スピードのデータに基づいてd-軸回転子のマグネチック・フラックス或いは電流値に反比例する命令を生じさせるものであるが、この周知の技術下では、駆動器の出力電圧が最大まで達しているか、及びモーターの定格電流の制限条件を考慮に入れておらず、それゆえ、最大直流リンク電圧の利用率及び最大出力/トルクまで有効に達成できることを保証できない。
又、ほかにも周知の弱磁制御法則（誘導電動の制御方法、中華民国特許第94120978号）があり、反起電力の大小を計算してモーターの回転スピードが定格を超えているかどうかを判断し、且つこれによって弱磁制御を行うものであるが、しかし、この周知の技術下で、弱磁制御を行おうとすると、複雑な数学式で運算しなければならず、且つこの周知の技術下で運算された数学式はモーター・パラメータ変化の影響を受け易いので、周知の弱磁制御法則（誘導電動の制御方法、中華民国特許第94120978号）によっては、最大の出力/トルクを達成できない。尚、従来の技術では、何れも三相交流誘導モーターの最大スリップスピード下において最大脱出トルクの制限条件を考慮されていない、それゆえ、弱磁区間下において更に高速の第二弱磁区へ入る場合の判断及び操作についても考慮されていない。
これによって分かるように、上述従来の方式には、尚幾多の欠点があり、よい設計とは言いがたく、改良がまたれていた。
本発明者は、上述従来方式に派生する各項の欠点に鑑み、極力新規改善を試み、且つ長年苦心研鑽の末、ついに本件三相交流誘導モーター駆動器の制御システム及びその弱磁制御方法の研究開発に成功した。
【発明の概要】
【発明が解決しようとする課題】
【０００３】
本発明の目的は、三相交流誘導モーター駆動器の制御システムを提供し、最大直流リンク電圧の利用率を達成するため、三相交流誘導モーターが定格回転スピードを超過した場合、そのモーターが第一弱磁区に入ったか、或いは更に高速下の第二弱磁区へ入ったかを自動的に探知判断することが出来るようにすることである。
本発明のもう一つの目的は、三相交流誘導モーター駆動器の制御システムを提供し、異なる弱磁区間の異なる回転スピードの運転状況下で応用でき、且つ最大出力/トルクを提供することによって、従来技術に存在する技術課題及び潜在的欠点を解決することにある。
【課題を解決するための手段】
【０００４】
上述発明の目的を達成できる三相交流誘導モーター駆動器の制御システムにおいて、その制御システムには、駆動器制御モジュールと、弱磁制御モジュールと、交流電源と、電力回路モジュールと、電流感知モジュール及び交流モーターモジュールを含む。本発明は、交流モーター周波数変換器のパルスワイズ・モデュレーション制御の切り替え周期及びその周波数変換器の制御によって、有効切り替え時間の和の差を分析して取得し、且つ弱磁制御モジュール（周波数変換器の制御により分析された有効時間の和（TA + TB）の差）を経由して、リアルタイムに調整適化された磁化電流命令（d-軸電流命令の修正値）を生じることによって、直流リンク電圧の利用率を最大化し、且つ自動的にd-軸電流値を調整適化して弱磁制御を達成することによって、交流モーターモジュールが定格回転スピードを超過した場合、異なる弱磁区間の異なる回転スピード運転状況下で、最大出力/トルクの能力を持てるようにする。
本発明は又、空間ベクトル変調法則を利用することによって（有効電圧ベクトルの有効切り替え時間ＴA，ＴB）、最大直流リンク電圧のキャパシティを利用できたかどうかを分析し、TA + TB = TZの時、TZはパルスワイズ・モデュレーション制御の切り替え周期（最大直流リンク電圧のキャパシティ利用率の参考命令を得るために使われる）に等しく、且つ現在直流リンク電圧のキャパシティ利用率が最大である事を意味する。尚、モーターがこの状況下で引き続き回転スピードを上げる場合、持続的にTA + TB = TZの条件を満たすほか、更に弱磁制御の技術によって初めて達成できる。
尚、TA + TB = TZの時の電圧ベクトル値が最大線形区の電圧ベクトル値より大きい時は、周波数変換器の出力電圧空間ベクトル軌跡が最大極限の六角形において操作されることを意味する、従って固定子電流値が定格電流の制限下にある場合、三相交流誘導モーターが最大電圧及び最大電流の条件下で仕事をすることを意味し、そしてこのことは、三相交流誘導モーターが第一弱磁区下において擁する最大出力/トルクの条件で操作されることを意味する。
回転スピードが引き続き上がり、且つ三相交流誘導モーターのスリップスピードがそのモーターの最大スリップスピードに達した時、三相交流誘導モーターは第二弱磁区において操作することを意味する、若しモーターが最大電圧において操作され、及び最大スリップスピード下で得られた最大電流にマッチするときは、三相交流誘導モーターが第二弱磁区下で擁する最大出力/トルクで操作されている状況を意味する。
【発明の効果】
【０００５】
１．  本発明に係る三相交流誘導モーター駆動器の制御システムは、制御器によってリアルタイムに磁化電流命令を産生し、最大直流リンク電圧の利用率を達成することによって、三相交流誘導モーターが定格回転スピードを超過した場合、そのモーターが第一弱磁区へ入ったか或いは更に高速下の第二弱磁区へ入ったかを自動的に判断できる。
２．  本発明に係る三相交流誘導モーター駆動器の制御システム及びその弱磁制御方法は、異なる弱磁区間の異なる回転スピードの運転状況下で、最大出力/トルク能力を提供し、従来技術に存在する技術課題及び潜在的欠点を解決することが出来る。
【図面の簡単な説明】
【０００６】
【図１Ａ】本発明に係る三相交流誘導モーター駆動器の制御システム及びその弱磁制御方法の構築図である。
【図１Ｂ】本発明に係る三相交流誘導モーター駆動器の制御システム及びその弱磁制御方法の電気回路見取り図である。
【図２Ａ】本発明に係る三相交流誘導モーター駆動器の制御システム及びその弱磁制御方法の空間ベクトル変調の電圧空間ベクトル図である。
【図２Ｂ】本発明に係る三相交流誘導モーター駆動器の制御システム及びその弱磁制御方法の空間ベクトル変調の電圧空間ベクトル合成図である。
【図２Ｃ】本発明に係る三相交流誘導モーター駆動器の制御システム及びその弱磁制御方法の空間ベクトル変調のパルスウェーブ形式図である。
【図３】本発明に係る三相交流誘導モーター駆動器の制御システム及びその弱磁制御方法のフローチャートである。
【図４】本発明に係る三相交流誘導モーター駆動器の制御システム及びその弱磁制御方法の最大q-軸電流命令計算器の実施フローチャートである。
【図５】本発明に係る三相交流誘導モーター駆動器の制御システム及びその弱磁制御方法の模擬結果見取り図である。
【発明を実施するための形態】
【０００７】
[実施例]
図１Ａ及び図１Ｂは、本発明に係る三相交流誘導モーター駆動器の制御システム及びその弱磁制御方法の構築図及び電気回路見取り図であり、駆動器制御モジュール１と、弱磁制御モジュール２と、交流電源３と、電力回路モジュール４と、電流感知モジュール５と、交流モーターモジュール６と、を含み、前記駆動器制御モジュール１は、弱磁制御モジュール２と、電力回路モジュール４と、電流感知モジュール５及び交流モーターモジュール６とインターフェースし、そして前記駆動器制御モジュール１は、加法器1011、1012、1013、減法器1021、1022、1023、ｄ−軸電流制御器103、回転スピード制御器104、ｑ−軸電流制御器105、制限器106、電圧分離補償器107、座標転換器1081、1082、空間ベクトル変調器109、回転子スピード推定器110、計数器111、スリップスピード推定器112、積分器113、を含み、前記駆動器制御モジュール１は、コーダー602によって交流モーター位置の関連情報を獲得する。
【０００８】
前記弱磁制御モジュール２は、駆動器制御モジュール１とインターフェースし、そして前記弱磁制御モジュール２は、
（１）  制限器201を含み、これによってマグネチック・フラックス電流命令の修正値がマイナス値区間に落ちることを制限し、及び三相交流誘導モーターｄ−軸回転子のマグネチック・フラックス量を制限、或いはｄ−軸電流がゼロより小さく或いはゼロに近い値とならないように制限する。
（２）  弱磁電流制御器202を含み、これによってマグネチック・フラックス電流命令の修正値を産生する。
（３）  減法器203を含み、これによってパルスワイズ・モデュレーション制御の切り替え周期ＴZからウェーブフィルターろ過後の有効切り替え時間の和（ＴA＋ＴB）を差し引く。
（４）  ローパスフィルター204を含み、これによって有効切り替え時間の和（ＴA＋ＴB）の高周波数信号をカットする。
（５）  加法器2051、2052を含み、これによって空間ベクトル変調法則中の各有効電圧ベクトルの有効切り替え時間（ＴA、ＴB）を加算する。
（６）  最大ｑ−軸電流命令計算器206を含み、これによって使用される最大電流命令値を分析計算する。
【０００９】
前記弱磁制御モジュール２は、空間ベクトル変調器109の有効電圧ベクトルの有効切り替え時間の和（ＴA＋ＴB）を、ローパスフィルター204によって高周波数信号をカットした後、且つ減法器203によってパルスワイズ・モデュレーション制御の切り替え周期ＴZと差し引き比較し、更に前記弱磁電流制御器202によって調整を行う、又別途制限器201と歩調を合わせて、TA + TB = TZの時、前記制限器201の出力はマイナス値
0005314643.tif 000002
となって、ｄ−軸電流命令の修正値とされる（ｄ−軸電流が弱磁電流制御器の調整によって回転子のマグネチック・フラックスがゼロより小さく或いはゼロに近くなることを制限する）。前記制限器201の出力は更に加法器2052によってｄ−軸定格電流値
0005314643.tif 000003
に加算され、正真正銘のｄ−軸電流命令参考値
0005314643.tif 000004
となる。
【００１０】
前記交流電源３は、電力回路モジュール４とインターフェースされた入力電源である。
【００１１】
前記電力回路モジュール4は、駆動器制御モジュール１と、交流電源３と、電流感知モジュール５及び交流モーターモジュール６とインターフェースされ、そして前記電力回路モジュール４は、整流モジュール401と（単相又は三相市販電源の入力を受け入れることが出来る）、直流リンク電圧キャパシティ402と（フリケンシー変調モジュール入力用とすることが出来る）、及びフリケンシー変調モジュール403（三相パルスウェーブ電圧出力を提供するスイッチエレメントを含み、且つ三相交流誘導モーターの入力側に連結し、駆動器の制御回路によって駆動信号を産生してフリケンシー変調モジュール中のスイッチエレメント切り替えを制御することが出来る）と、を含む。それゆえ、市販電力側のエネルギーが交流電源３から入力を始めると、整流モジュール401を経由して交流電気を漣波を有する直流電気へ整流し、更に直流リンク電圧キャパシティ402によって電波分離を行い、且つ空間ベクトル変調器109を利用して制御信号をフリケンシー変調モジュール403中の駆動スイッチエレメントへ出力して直流電気エネルギーの転換を行う。
【００１２】
前記電流感知モジュール５は、三つの電流感知器501、502、503を含み、そして前記電流感知モジュール５は、駆動器制御モジュール１と、電力回路モジュール４及び交流モーターモジュール６とインターフェースされ、主として、モーターの三相電流iu、iv、及びiwをフィードバックする。
【００１３】
前記交流モーターモジュール６は、駆動器制御モジュール１と、電力回路モジュール４と、電流感知モジュール５とインターフェースされ、前記交流モーターモジュール６は、三相交流誘導モーター601及びコーダー602（同じ軸上にてカップリング）を含み、前記コーダー602は増量型コーダーであってよく、前記コーダー602は、コーダーからフィードバックされた回転子の位置及び/或いはスピードに基づいて、回転スピード制御器104によってｑ−軸座標上に位置する固定子電流を産生し、これによって打ち立てられたマグネチック・フラックスとｄ−軸座標上の三相交流誘導モーター回転子のマグネチック・フラックスとが交互作用を起こすことによって、三相交流誘導モーターのベクトル制御を達成する。
【００１４】
前記駆動器制御モジュール１は、計数器182を経由してコーダー602のパルスウェーブ情報を交流モーターの回転子角度に転換することが出来、前記回転子角度はスリップスピード推定器112を経由してモーターのスピードを獲得できる、それゆえ、前記モーターの回転スピードは回転スピード制御器104のフィードバック情報として使われ、加法器1013に前記スリップスピードを加えて（スリップスピード推定器112はｄ−軸電流、ｑ−軸電流を分析したスリップスピードを使用し、そして前記ｄ−軸電流値は弱磁制御構築によって決定され、最大電流制限条件は、異なる弱磁区間下の異なるｑ−軸電流の制限値によって決定される）モーター回転スピードを獲得し、更に積分器113を経由して同期回転角度を獲得できる。
【００１５】
前記同期回転角度は、座標転換器1081、1082の座標転換として使用でき、電流感応器501、502、503がモーターへ三相電流iu,iv,iw,をフィードバックし、且つ座標転換器1082によって三相静止座標の変数を二相同期回転座標の変数
0005314643.tif 000005
及び
0005314643.tif 000006
に転換し、且つ減法器1021、1023へフィードバックして電流命令と差し引かれ、その後、ｄ−軸電流制御器103及びｑ−軸電流制御器105を経由して調整を行う、前記二つの電流制御器（ｄ−軸電流制御器103及びｑ−軸電流制御器105）の出力に電圧分離補償器150の補償値（加法器1011、1012を経由）を加え、更に座標転換器1081によって二相同期回転座標の変数
0005314643.tif 000007
及び
0005314643.tif 000008
を二相静止座標の変数に転換することによって、空間ベクトル変調器109の電圧空間ベクトル命令を獲得する。
【００１６】
完璧なスピード・モード下において、三相交流誘導モーターの回転スピード
0005314643.tif 000009
及び回転スピード命令
0005314643.tif 000010
は、減法器1022を経由し且つ回転スピード制御器104によって調整を行う、そして前記回転スピード制御器104の出力は制限器106へ連結され、ｑ−軸電流命令及びトルク出力の制限とすることが出来、前記制限器の制限値については、最大ｑ−軸電流命令計算器206によって計算することが出来る、駆動器或いはモーターが定格電流で操作されることを避けるほか、異なる弱磁区間下の状況に基づいて最大電流値を制限してもよい。
【００１７】
図２Ａ、図２Ｂ及び図２Ｃは、本発明に係る三相交流誘導モーター駆動器の制御システム及びその弱磁制御方法の空間ベクトル変調の電圧空間ベクトル図、電圧ベクトル合成図及びパルスウェーブ形式図である、その中で、図２Ａは、電圧空間ベクトル命令と区間（Sector）との関係を示す、その関係は空間ベクトル変調法則の電圧ベクトルで組成される最大制限範囲及び最大線形範囲であり、TA+TB=TZであるときは、電圧ベクトルが目前では最大制限範囲の六角形軌跡上で回転していることを示す、従って電圧利用率は最大線形範囲の図形区間より大きい。
【００１８】
図２Ｂは、電圧空間ベクトルが第一区間（Sector１）に位置する見取り図である。尚、図２Ｂで合成された電圧ベクトルのスイッチ切り替えタイムシーケンスＴAＴBＴZの見取り図と照合すると、その中でＴA及びＴBはそれぞれ有効切り替え時間であり、ＴZは、パルスワイズ・モデュレーション制御の切り替え周期であり、そして前記TZ = 1/( KTs )では、Tsはパルスワイズ・モデュレーション制御のサンプリング周期であり、Ｋは常数である。
【００１９】
図３は、本発明に係る三相交流誘導モーター駆動器の制御システム及びその弱磁制御方法の弱磁制御方法フローチャートであり、そのステップは、
１．有効電圧ベクトルの有効切り替え時間の和（ＴA＋ＴB）を利用して、ローパスフィルターを経由してその高周波数信号をカットした後、パルスワイズ・モデュレーション制御の切り替え周期TZと差し引く。
２．さらに弱磁電流制御モジュールによってｄ−軸電流命令の修正値を産生し、且つその値を制限する。
３．この制限されたｄ−軸電流命令の修正値を更に原始ｄ−軸電流命令
0005314643.tif 000011
へ（制限器によってTA+TB=TZの時、制限器の出力はマイナス値
0005314643.tif 000012
であることを確保することによって、ｄ−軸電流命令の修正値とすると共に、ｄ−軸電流が弱磁電流制御器の調整によって回転子のマグネチック・フラックスがゼロより小さく或いはゼロに近くならないように制限する）加法器によって加え、正真正銘のｄ−軸電流命令参考値
0005314643.tif 000013
とする。
４．このｄ−軸電流命令値
0005314643.tif 000014
及び最大スリップスピード
0005314643.tif 000015
を利用して異なる弱磁区間下での最大ｑ−軸電流命令値を制限する（最大ｑ−軸電流命令値の計算は、異なる弱磁区間下では違いがある）。
【００２０】
図４は、本発明に係る三相交流誘導モーター駆動器の制御システム及びその弱磁制御方法の最大ｑ−軸電流命令計算器の実施フローチャートであり、そのステップは、
１．先ず有効電圧ベクトルの有効切り替え時間の和（ＴA＋ＴB）がパルスワイズ・モデュレーション制御の切り替え周期（ＴZ）より大きいか或いは等しいかを判断する。その判断分析は下記の通りである。
（１）若しＴA＋ＴBがＴZより大きいか或いは等しい場合、モーター回転スピードが定格回転スピードより速い状態に入る。
（２）若しＴA＋ＴBがＴZより小さい場合、モーター回転スピードが定格回転スピードより遅い状態に入る（この時、モーターはコンスタント・トルク区間で操作し、且つ最大ｑ−軸電流命令値はモーターの定格電流によって決定され、その値は
0005314643.tif 000016
に等しい）。
２．モーター回転スピードが定格回転スピードより速い状態にあるとき、先ず最大ｑ−軸電流命令値（モーターの定格電流から分析取得される）は
0005314643.tif 000017
であり、更に最大ｑ−軸電流命令値
0005314643.tif 000018
を分析する（最大スリップスピードから分析取得される）。
３．次に、弱磁区間下で異なる条件で算出したｑ−軸電流命令値を利用する。
（１）若し
0005314643.tif 000019
が
0005314643.tif 000020
より大きいか或いは等しい場合、目前のｑ−軸電流命令の制限値は最大スリップスピードによって決定されることを意味する（モーターが第二弱磁区下で操作されることを意味し、従って最大ｑ−軸電流命令値は
0005314643.tif 000021
である）。
（２）若し
0005314643.tif 000022
が
0005314643.tif 000023
より小さい場合、ｑ−軸電流命令の制限値が定格電流によって決定されることを意味する（モーターが依然第一弱磁区下で操作されることを意味し、従って最大ｑ−軸電流命令値は
0005314643.tif 000024
である）。
【００２１】
図５は、本発明に係る三相交流誘導モーター駆動器の制御システム及びその弱磁制御方法の模擬結果見取り図であり、三相交流誘導モーターの回転スピードが定格回転スピード（1.0 pu）以上に達した場合、この時ＴA＋ＴBがＴZ（1.0 pu）まで増加したとき、弱磁制御が進行を始め、即ち第一区弱磁に入り始める。
図中からわかるように、ｄ−軸電流命令の修正値
0005314643.tif 000025
はスピードが上がるにつれてマイナス値へ向かって増加する、一方ｄ−軸電流
0005314643.tif 000026
はスピードが上がるにつれて下降を始めることによって、直流リンク電圧キャパシティの最大電圧利用率を維持し、且つ交流モーターの反起電力の増加を克服することが出来る、そして回転スピードが安定した後は、反起電力も変化することがない、それゆえ、ｄ−軸電流
0005314643.tif 000027
もそれに伴って安定する。
尚、回転スピードが持続的に上昇すると共に、最大ｑ−軸電流の制限値も最大スリップスピードの制限を受ける、図中でスリップスピードを観察すると、モーターの加速過程である段階での応答は最大スリップスピードに制限されることが分かる、この時モーターの運転は、第二弱磁磁区に入ったことを意味し、且つこの時モーター回転スピードは更に高速の状態に入ったことを意味する。
【符号の説明】
【００２２】
１        駆動器制御モジュール
1011      加法器
1012      加法器
1013      加法器
1021      減法器
1022      減法器
1023      減法器
103      ｄ−軸電流制御器
104      回転スピード制御器
105      ｑ−軸電流制御器
106      制限器
107      電圧分離補償器
1081      座標転換器
1082      座標転換器
109      空間ベクトル・モデュレータ
110      回転子スピード推定器
111      計数器
112      スリップスピード推定器
113      積分器
2        弱磁制御モジュール
201      制限器
202      弱磁電流制御器
203      減法器  
204      ローパスフィルター
2051      加法器
2052      加法器
206      ｑ−軸電流命令計算器
3        交流電源
4        電力回路モジュール
401      整流モジュール
402      直流リンク電圧キャパシティ
403      フリケンシー変調モジュール
5      電流感知モジュール
501      電流感知器
502      電流感知器
503      電流感知器
6        交流モーターモジュール
601      三相交流誘導モーター
602      コーダー
【図１Ａ】
0005314643.tif 000030
【図１Ｂ】
0005314643.tif 000031
【図２Ａ】
0005314643.tif 000032
【図２Ｂ】
0005314643.tif 000033
【図２Ｃ】
0005314643.tif 000034
【図３】
0005314643.tif 000035
【図４】
0005314643.tif 000036
【図５】
0005314643.tif 000037